(57)【要約】  本発明は、冷蔵庫用外側ドア及びその製作方法に関する。本発明は、所定の模様５１ａが前面に形成されるベースプレート５１と、前記ベースプレート５１の裏面に設けられる裏面被膜層５３と、前記裏面被膜層の表面に設けられる裏面塗色層５５と、前記ベースプレート５１の前面に設けられる前面塗色層５７と、を備えて構成される。このような本発明によると、冷蔵庫ドアの前面のデザインをさらに多様に具現することができ、消費者の多様な美感を満たすようになる利点がある。
2009541701.tif 000002
【特許請求の範囲】
【請求項１】
所定の模様が前面に形成されるベースプレートと、
前記ベースプレートの裏面に設けられる裏面被膜層と、
前記裏面被膜層の表面に設けられる裏面塗色層と、
前記ベースプレートの前面に設けられる前面塗色層と、
を備えて構成されることを特徴とする冷蔵庫用外側ドア。
【請求項２】
前記ベースプレートの模様は、外周面に凹凸部が設けられた圧延ローラによりベースプレートが圧延される過程にて、前記ベースプレートの前面が、前記圧延ローラの凹凸部の形状に圧着されることにより形成されることを特徴とする請求項１に記載の冷蔵庫用外側ドア。
【請求項３】
前記前面塗色層は、
前記ベースプレートの前面に塗料が塗布されて形成される第１の前面塗色層と、
前記第１の前面塗色層の表面に塗料が塗布されて形成される第２の前面塗色層とを有して構成されることを特徴とする請求項１または２に記載の冷蔵庫用外側ドア。
【請求項４】
前記前面塗色層は、前記第２の前面塗色層の表面に塗料が塗布されて形成される第３の前面塗色層をさらに有して構成されることを特徴とする請求項３に記載の冷蔵庫用外側ドア。
【請求項５】
前記第１及び第３の前面塗色層は、透明な無色の塗料が塗布されて形成され、
前記第２の前面塗色層は、所定の色相の塗料が塗布されて形成されることを特徴とする請求項４に記載の冷蔵庫用外側ドア。
【請求項６】
前記第３の前面塗色層の表面に付着される保護ビニール層をさらに有して構成されることを特徴とする請求項５に記載の冷蔵庫用外側ドア。
【請求項７】
（ａ）ベースプレートの前面に所定の模様が形成されるステップと、
（ｂ）前記ベースプレートの裏面に裏面被膜層が設けられるステップと、
（ｃ）前記裏面被膜層の表面に裏面塗色層が設けられるステップと、
（ｄ）前記ベースプレートの前面に前面塗色層が設けられるステップと、
を含んで構成されることを特徴とする冷蔵庫用外側ドアの製作方法。
【請求項８】
前記（ａ）ステップにおいて、
前記ベースプレートの模様は、外周面に凹凸部が設けられた圧延ローラによりベースプレートが圧延される過程にて、前記ベースプレートの前面が、前記圧延ローラの凹凸部の形状に圧着されることにより形成されることを特徴とする請求項７に記載の冷蔵庫用外側ドアの製作方法。
【請求項９】
前記（ｄ）ステップは、
（ｄ１）前記ベースプレートの前面に無色の透明な塗料が塗布されて形成される第１の前面塗色層が設けられるステップと、
（ｄ２）前記第１の前面塗色層の表面に所定の色相の塗料が塗布されて形成される第２の前面塗色層が設けられるステップと、を含んで構成されることを特徴とする請求項７または８に記載の冷蔵庫用外側ドアの製作方法。
【請求項１０】
（ｅ）前記第２の前面塗色層の表面に保護ビニール層を付着するステップをさらに含んで構成されることを特徴とする請求項９に記載の冷蔵庫用外側ドアの製作方法。
【請求項１１】
（ａ）ベースプレートの裏面に裏面被膜層が設けられるステップと、
（ｂ）前記裏面被膜層の表面に裏面塗色層が設けられるステップと、
（ｃ）前記ベースプレートの前面に前面塗色層が設けられるステップと、
（ｄ）前記ベースプレートの前面に所定の模様が形成されるステップと、
を含んで構成されることを特徴とする冷蔵庫用外側ドアの製作方法。
【請求項１２】
前記（ｄ）ステップにおいて、
前記ベースプレートの模様は、外周面に凹凸部が設けられた圧延ローラによりベースプレートが圧延される過程にて、前記ベースプレートの前面が、前記圧延ローラの凹凸部の形状に圧着されることにより形成されることを特徴とする請求項１１に記載の冷蔵庫用外側ドアの製作方法。
【請求項１３】
前記（ｃ）ステップは、
（ｃ１）前記ベースプレートの前面に無色の透明な塗料が塗布されて形成される第１の前面塗色層が設けられるステップと、
（ｃ２）前記第１の前面塗色層の表面に所定の色相の塗料が塗布されて形成される第２の前面塗色層が設けられるステップと、を含んで構成されることを特徴とする請求項１１または１２に記載の冷蔵庫用外側ドアの製作方法。
【請求項１４】
（ｅ）前記第２の前面塗色層の表面に無色の透明な塗料が塗布されて形成される第３の前面塗色層が設けられるステップをさらに含んで構成されることを特徴とする請求項１３に記載の冷蔵庫用外側ドアの製作方法。
【請求項１５】
（ｆ）前記第３の前面塗色層の表面に保護ビニール層を付着するステップをさらに含んで構成されることを特徴とする請求項１４に記載の冷蔵庫用外側ドアの製作方法。
【発明の詳細な説明】
【技術分野】
【０００１】
本発明は、冷蔵庫に関し、より詳しくは、冷蔵庫ドアの前面を形成する冷蔵庫用外側ドア及びその製作方法に関する。
【背景技術】
【０００２】
図１は、従来技術による冷蔵庫ドアの一部を示し、図２は、図１に示された外側ドアの一部拡大図である。
【０００３】
これらに図示のように、冷蔵庫ドア１の前面を形成する外側ドア１０の後方にドアライナー２０が結合される。また、前記外側ドア１０とドアライナー２０との間に発泡液が充填され、充填された発泡液が固化され、断熱層３０が形成されることにより、前記ドア１が製作される。
【０００４】
一方、図２に示すように、前記外側ドア１０を構成するベースプレート１１は、鉄板で形成される。前記ベースプレート１１は、約３乃至１０ｍｍの厚さを有するようになる。
【０００５】
また、前記外側ドア１０の内面に該当する前記ベースプレート１１の裏面には、裏面被膜層１３が設けられる。前記裏面被膜層１３は、前記ベースプレート１１の裏面の各種の汚染物質、例えば、腐食による錆や埃等を除去する役割を果たす。前記裏面被膜層１３は、前記ベースプレート１１の裏面に約５０μｍ厚のリン酸塩が塗布されて形成される。
【０００６】
前記裏面被膜層１３の表面には、裏面塗色層１５が設けられる。前記裏面塗色層１５は、前記裏面被膜層１３の表面に約２０μｍ厚の塗料が塗布されて形成される。前記裏面塗色層１５は、前記ベースプレート１１の裏面を保護するためのものである。また、前記裏面塗色層１５は、実質的に前記断熱層３０と接触され、前記ドア１の廃棄の際に、前記外側ドア１０と断熱層３０が容易に分離されるようにする。
【０００７】
一方、前記ベースプレート１１の前面には、前面塗色層１７が設けられる。前記前面塗色層１７は、前記ベースプレート１１の前面を保護する役割を果たすものであり、前記前面塗色層１７は、第１の前面塗色層１７ａと第２の前面塗色層１７ｂで構成される。
【０００８】
前記第１の前面塗色層１７ａは、前記ベースプレート１１の前面に約５０μｍ厚の塗料が塗布されて形成され、前記第２の前面塗色層１７ｂは、前記第１の前面塗色層１７ａの表面に約２０乃至２５μｍ厚の塗料が塗布されて形成される。したがって、前記第２の前面塗色層１７ｂが実質的に外部に露出するので、前記第２の前面塗色層１７ｂを形成する塗料としては、所定の色相の塗料が用いられることが好ましい。これに対して、前記第１の前面塗色層１７ａは、前記第２の前面塗色層１７ｂの色相がさらに明確に具現されるように、透明な無色の塗料で形成される。
【０００９】
また、前記第２の前面塗色層１７ｂの表面には、保護ビニール層１９が設けられる。前記保護ビニール層１９は、約５０乃至１００μｍ厚の透明または半透明な材質として、前記第２の前面塗色層１７ｂの表面に付着される。前記保護ビニール層１９は、前記第２の前面塗色層１７ｂを保護する役割を果たす。
【００１０】
しかしながら、このような従来技術による冷蔵庫用外側ドアには、以下のような問題点があった。
【００１１】
上述のように、前記ベースプレート１１が鉄板で形成されるため、前記外側ドア１０の前面に何のデザインが表現されず、所定の色相を呈する前記第２の前面塗色層１７ｂのみが外部に具現される。したがって、前記第２の前面塗色層１７ｂを形成する塗料の選択により、前記外側ドア１０の前面の色相を変更することは可能であるが、前記外側ドア１０の前面を多様な模様や形状にデザインすることは不可能になる。
【発明の概要】
【発明が解決しようとする課題】
【００１２】
そこで、本発明はこのような問題点に鑑みてなされたもので、その目的は、より多様なデザインの具現が可能であるように構成される冷蔵庫用外側ドア及びその製作方法を提供することにある。
【課題を解決するための手段】
【００１３】
上記課題を解決するための本発明の特徴によれば、本発明は、所定の模様が前面に形成されるベースプレートと、前記ベースプレートの裏面に設けられる裏面被膜層と、前記裏面被膜層の表面に設けられる裏面塗色層と、前記ベースプレートの前面に設けられる前面塗色層と、を備えて構成される。
【００１４】
前記ベースプレートの模様は、外周面に凹凸部が設けられた圧延ローラによりベースプレートが圧延される過程にて、前記ベースプレートの前面が、前記圧延ローラの凹凸部の形状に圧着されることにより形成されることを特徴とする。
【００１５】
前記前面塗色層は、前記ベースプレートの前面に塗料が塗布されて形成される第１の前面塗色層と、前記第１の前面塗色層の表面に塗料が塗布されて形成される第２の前面塗色層とを有して構成されることを特徴とする。
【００１６】
前記前面塗色層は、前記第２の前面塗色層の表面に塗料が塗布されて形成される第３の前面塗色層をさらに有して構成されることを特徴とする。
【００１７】
前記第１及び第３の前面塗色層は、透明な無色の塗料が塗布されて形成され、前記第２の前面塗色層は、所定の色相の塗料が塗布されて形成されることを特徴とする。
【００１８】
前記第３の前面塗色層の表面に付着される保護ビニール層をさらに有して構成されることを特徴とする。
【００１９】
本発明の他の特徴によれば、本発明は、（ａ）ベースプレートの前面に所定の模様が形成されるステップと、（ｂ）前記ベースプレートの裏面に裏面被膜層が設けられるステップと、（ｃ）前記裏面被膜層の表面に裏面塗色層が設けられるステップと、（ｄ）前記ベースプレートの前面に前面塗色層が設けられるステップと、を含んで構成される。
【００２０】
前記（ａ）ステップにおいて、前記ベースプレートの模様は、外周面に凹凸部が設けられた圧延ローラによりベースプレートが圧延される過程にて、前記ベースプレートの前面が、前記圧延ローラの凹凸部の形状に圧着されることにより形成されることを特徴とする。
【００２１】
前記（ｄ）ステップは、（ｄ１）前記ベースプレートの前面に無色の透明な塗料が塗布されて形成される第１の前面塗色層が設けられるステップと、（ｄ２）前記第１の前面塗色層の表面に所定の色相の塗料が塗布されて形成される第２の前面塗色層が設けられるステップと、を含んで構成されることを特徴とする。
【００２２】
（ｅ）前記第２の前面塗色層の表面に保護ビニール層を付着するステップをさらに含んで構成されることを特徴とする。
【００２３】
本発明のまた他の特徴によれば、本発明は、（ａ）ベースプレートの裏面に裏面被膜層が設けられるステップと、（ｂ）前記裏面被膜層の表面に裏面塗色層が設けられるステップと、（ｃ）前記ベースプレートの前面に前面塗色層が設けられるステップと、（ｄ）前記ベースプレートの前面に所定の模様が形成されるステップと、を含んで構成される。
【００２４】
前記（ｄ）ステップにおいて、前記ベースプレートの模様は、外周面に凹凸部が設けられた圧延ローラによりベースプレートが圧延される過程にて、前記ベースプレートの前面が、前記圧延ローラの凹凸部の形状に圧着されることにより形成されることを特徴とする。
【００２５】
前記（ｃ）ステップは、（ｃ１）前記ベースプレートの前面に無色の透明な塗料が塗布されて形成される第１の前面塗色層が設けられるステップと、（ｃ２）前記第１の前面塗色層の表面に所定の色相の塗料が塗布されて形成される第２の前面塗色層が設けられるステップと、を含んで構成されることを特徴とする。
【００２６】
（ｅ）前記第２の前面塗色層の表面に無色の透明な塗料が塗布されて形成される第３の前面塗色層が設けられるステップをさらに含んで構成されることを特徴とする。
【００２７】
（ｆ）前記第３の前面塗色層の表面に保護ビニール層を付着するステップをさらに含んで構成されることを特徴とする。
【００２８】
このような本発明によると、冷蔵庫ドアの前面のデザインをさらに多様に具現することができ、消費者の多様な美感を満たすようになる利点がある。
【発明の効果】
【００２９】
このように構成される本発明の冷蔵庫用外側ドア及びその製作方法によると、外側ドアを構成するベースプレートの前面に所定の模様が形成されるようになる。したがって、使用者の美的要求を満たすことができる多様なデザインの冷蔵庫ドアを製作可能になるという効果がある。
【図面の簡単な説明】
【００３０】
【図１】従来技術による冷蔵庫ドアの一部を示す側断面図である。
【図２】図１に示した外側ドアの一部拡大図である。
【図３】本発明による冷蔵庫用外側ドアの好適な実施例の要部を示す側断面図である。
【図４】本発明による冷蔵庫用外側ドアの製作方法の好適な実施例により外側ドアを製作する過程を示す作業流れ図である。
【図５】本発明による冷蔵庫用外側ドアの製作方法の好適な実施例により外側ドアを製作する過程を示す作業流れ図である。
【図６】本発明による冷蔵庫用外側ドアの製作方法の好適な実施例により外側ドアを製作する過程を示す作業流れ図である。
【図７】本発明による冷蔵庫用外側ドアの製作方法の好適な実施例により外側ドアを製作する過程を示す作業流れ図である。
【図８】本発明による冷蔵庫用外側ドアの製作方法の好適な実施例により外側ドアを製作する過程を示す作業流れ図である。
【図９】本発明による冷蔵庫用外側ドアの製作方法の好適な実施例により外側ドアを製作する過程を示す作業流れ図である。
【図１０】本発明による冷蔵庫用外側ドアの他の実施例の要部を示す側断面図である。
【発明を実施するための形態】
【００３１】
以下、添付した図面に基づき、本発明による冷蔵庫用外側ドア及びその製作方法の好適な実施例についてさらに詳述する。
【００３２】
図３には、本発明による冷蔵庫用外側ドアの好適な実施例が示されている。従来と同一の構成については、図１の図面符号を援用して説明する。
【００３３】
これに図示のように、冷蔵庫ドアの前面を形成する外側ドア５０のベースプレート５１は、約３乃至１０ｍｍ厚の鉄板で形成される。また、前記外側ドア５０の前面には、所定の模様５１ａが形成される。前記ベースプレート５１の模様５１ａは、圧延ローラ６０、６０’（図４参照）によりベースプレート５１が圧延される過程にて、前記圧延ローラ６０、６０’のうち、前記ベースプレート５１の前面に密着される圧延ローラ６０の外周面に設けられる凹凸部６１の形状に前記ベースプレート５１の前面が圧着されることにより形成される。
【００３４】
例えば、前記圧延ローラ６０の凹凸部６１が波状に形成されていると、前記ベースプレート５１の前面には、波状の模様５１ａが形成される。この際、前記ベースプレート５１の模様５１ａは、ベースプレート５１の厚さを考慮してその厚さが決定されるが、後述する第１の前面塗色層５７ａに比べて相対的に小さな厚さに形成されることが好ましい。
【００３５】
前記ベースプレート５１の裏面には、裏面被膜層５３が設けられる。前記裏面被膜層５３は、前記ベースプレート５１の裏面に約５０μｍ厚のリン酸塩が塗布されて形成される。前記裏面被膜層５３は、前記ベースプレート５１の裏面の腐食による錆や埃のような各種の汚染物質を除去するためのものである。
【００３６】
また、前記裏面被膜層５３の表面には、裏面塗色層５５が設けられる。前記裏面塗色層５５は、前記ベースプレート５１の裏面を保護する役割を果たす。前記裏面被膜層５３の表面に、約２０μｍ厚の塗料が塗布されて形成される。
【００３７】
前記ベースプレート５１の前面には、前面塗色層５７が設けられる。前記前面塗色層５７は、前記ベースプレート５１の前面を保護すると共に、実質的に前記外側ドア５０の前面を形成して外部に具現される色相を呈する部分である。前記前面塗色層５７は、第１の前面塗色層５７ａと第２の前面塗色層５７ｂで構成される。
【００３８】
前記第１の前面塗色層５７ａは、前記ベースプレート５１の前面に約５０μｍ厚の塗料が塗布されて形成される。また、前記第２の前面塗色層５７ｂは、前記第１の前面塗色層５７ａの表面に約２０乃至２５μｍ厚の塗料が塗布されて形成される。前記第１の前面塗色層５７ａを形成する塗料は、透明な無色の塗料であり、前記第２の前面塗色層５７ｂは、所定の色相を呈する塗料により形成される。
【００３９】
また、前記第２の前面塗色層５７ｂの表面には、保護ビニール層５９が設けられる。前記保護ビニール層５９は、前記第２の前面塗色層５７ｂを保護する役割を果たす。前記保護ビニール層５９は、約５０乃至１００μｍ厚の透明または半透明なビニールシートであり、前記第２の前面塗色層５７ｂの表面に付着される。
【００４０】
次に、添付した図面に基づき、本発明による冷蔵庫用外側ドアの製作方法の好適な実施例についてさらに詳述する。
【００４１】
図４乃至図９には、本発明による冷蔵庫用外側ドアの製作方法の好適な実施例により外側ドアを製作する過程が示されている。
【００４２】
先ず、図４に示すように、ベースプレート５１を圧延ローラ６０、６０’間を通過させて圧延する過程にて、前記ベースプレート５１の前面に模様５１ａが形成される。前記ベースプレート５１の模様５１ａは、前記圧延ローラ６０、６０’のうち、ベースプレート５１の前面に密着される圧延ローラ６０の外周面に設けられる凹凸部６１の形状に、前記ベースプレート５１の前面が圧着されて形成される。
【００４３】
前記ベースプレート５１の前面に模様５１ａが形成された状態で、図５に示すように、前記ベースプレート５１の裏面にリン酸塩を約５０μｍ厚で塗布して、裏面被膜層５３を形成する。また、図６に示すように、前記裏面被膜層５３の表面に塗料を約２０μｍ厚でさらに塗布して、裏面塗色層５５を形成する。
【００４４】
次に、図７に示すように、前記ベースプレート５１の前面に透明な無色の塗料を約５０μｍ厚で塗布して、第１の前面塗色層５７ａを形成する。また、前記第１の前面塗色層５７ａの表面に約２０乃至２５μｍ厚で所定の色相の塗料を塗布して、第２の前面塗色層５７ｂを形成する。
【００４５】
最後に、前記第２の前面塗色層５７ｂの表面に、約５０乃至１００μｍ厚のビニールシートである保護ビニール層５９を付着することにより、外側ドア５０の製作が完了する。また、このように製作された前記外側ドア５０の後方にドアライナーを結合し、前記外側ドア５０とドアライナーとの間に充填された発泡液が固化され、断熱層が形成されることにより、冷蔵庫ドア１の製作が完了される。
【００４６】
以下、添付した図面に基づき、本発明による冷蔵庫用外側ドアの他の実施例について説明する。
【００４７】
図１０には、本発明による冷蔵庫用外側ドアの他の実施例が示されている。
【００４８】
これに図示のように、外側ドア７０のベースプレート７１の裏面には、裏面被膜層７３と裏面塗色層７５が順次形成される。また、前記ベースプレート７１の前面には、第１及び第２の前面塗色層７７ａ、７７ｂが設けられる。このような構成は、図３に示した実施例と同一である。
【００４９】
しかし、本実施例では、前記第２の前面塗色層７７ｂの表面に第３の前面塗色層７７ｃがさらに設けられる。すなわち、前記ベースプレート７１の前面に設けられる前面塗色層７７が、第１乃至第３の前面塗色層７７ａ、７７ｂ、７７ｃで構成されることである。これは、前記ベースプレート７１の前面に前記第１及び第２の前面塗色層７７ａ、７７ｂが設けられた状態で、前記ベースプレート７１の前面に模様７１ａを形成するからである。
【００５０】
言い換えると、前記第１及び第２の前面塗色層７７ａ、７７ｂが前記ベースプレート７１の前面に設けられた状態で、前記ベースプレート７１が圧延ローラ６０、６０’（図４参照）により圧延される過程にて、前記圧延ローラ６０、６０’のうち、ベースプレート７１の前面に密着される圧延ローラ６０の外周面に設けられた凹凸部６１の形状に模様７１ａが圧着されて形成されるので、前記第１及び第２の前面塗色層７７ａ、７７ｂにクラックやスクラッチが生じ得る。したがって、図３に示した実施例とは異なり、前記第２の前面塗色層７７ｂの表面に前記第３の前面塗色層７７ｃが設けられることにより、上述のようなクラックやスクラッチを補強するようになる。
【００５１】
前記第３の前面塗色層７７ｃは、前記第２の前面塗色層７７ｂの表面に、約５乃至２０μｍ厚の塗料が塗布されて形成される。また、第３の前面塗色層７７ｃを形成する塗料は、前記第２の前面塗色層７７ｂの色相が外部に具現されるように、透明な無色の塗料である。
【００５２】
本発明の権利は、上述した実施例に限定されず、請求の範囲に記載されたところにより定義され、本発明の属する技術の分野における通常の知識を有する者が、請求の範囲に記載された権利範囲内で、様々な変形と改作を行うことができることは自明である。
【図１】
2009541701.tif 000003
【図２】
2009541701.tif 000004
【図３】
2009541701.tif 000005
【図４】
2009541701.tif 000006
【図５】
2009541701.tif 000007
【図６】
2009541701.tif 000008
【図７】
2009541701.tif 000009
【図８】
2009541701.tif 000010
【図９】
2009541701.tif 000011
【図１０】
2009541701.tif 000012
【国際調査報告】
2009541701.tif 000013
2009541701.tif 000014